(57)【要約】  音楽を再生する音楽再生装置であって、複数の楽曲データを格納する音楽データ格納手段と、前記各楽曲データに対応するメタデータを格納するメタデータ格納手段と、前記メタデータ等を音声データに変換する音声データ変換手段と、前記楽曲データおよび前記音声データを再生する再生手段と、再生する楽曲データに対応するメタデータを前記メタデータ格納手段から読み出し、前記音声データ変換手段に入力し、該音声データ変換手段から出力された音声データを、該楽曲データの再生前または再生中または再生後のいずれかのタイミングで前記再生手段に入力して音声再生させる制御を行う制御手段と、を備える音楽再生装置である。
2008102413.tif 000002
【特許請求の範囲】
【請求項１】
音楽を再生する音楽再生装置であって、
複数の楽曲データを格納する音楽データ格納手段と、
前記各楽曲データに対応するメタデータを格納するメタデータ格納手段と、
前記メタデータ等を音声データに変換する音声データ変換手段と、
前記楽曲データおよび前記音声データを再生する再生手段と、
再生する楽曲データに対応するメタデータを前記メタデータ格納手段から読み出し、前記音声データ変換手段に入力し、該音声データ変換手段から出力された音声データを、該楽曲データの再生前または再生中または再生後のいずれかのタイミングで前記再生手段に入力して音声再生させる制御を行う制御手段と、
を備えることを特徴とする音楽再生装置。
【請求項２】
更に、
メタデータを構成する複数の属性値間に助詞等を挿入し、文章データを生成するための型を複数規定したものを格納しておく補完設定格納手段と、
前記制御手段によって、前記メタデータ格納手段から読み出されたメタデータを、前記補完設定格納手段に格納された型に基づいて文章データを生成する補完手段と、
を備え、
前記制御手段は前記補完手段によって生成された文章データを前記音声データ変換手段に出力し、該文章データを再生することを特徴とする請求項１記載の音楽再生装置。
【請求項３】
前記補完設定手段は前記文章データを生成するための型以外に、いずれの言語にするのか、男性・女性いずれの口調にするのか、いずれの地域の方言にするのか、どのような口調にするのかなどの設定も含むことを特徴とする請求項２記載の音楽再生装置。
【請求項４】
前記補完手段は、前記楽曲データの再生の状況に合わせて、前記文章を生成するための型のうちのいずれを適用するかを決定し、直近に再生したメタデータのうち同一の属性値が含まれる場合には、当該属性値の部分を省略し、同等の内容は前記生成する文章には含まれないようにすることを特徴とする請求項３記載の音楽再生装置。
【請求項５】
更に、
前記楽曲データの再生状況を示す制御情報を格納する制御情報格納手段を備え、
前記制御手段は自身の制御に基づいて該制御情報を更新し、また、前記制御情報格納手段から制御情報を読み出し前記音声データ変換手段に入力し、該音声データ変換手段から出力された音声データを前記再生手段に入力して該制御情報を再生させる、
ことを特徴とする請求項１記載の音楽再生装置。
【請求項６】
前記制御情報として、前記複数の楽曲データを、ランダム再生を含む一定のルールで連続再生していることを示す選曲ルールを含むことを特徴とする請求項５記載の音楽再生装置。
【請求項７】
前記制御情報は、音楽再生の際の音量情報、サビのみ再生を行っていることを表すサビ再生等の情報を更に含むことを特徴とする請求項５または請求項６記載の音楽再生装置。
【請求項８】
複数の楽曲データを格納する音楽データ記憶部と、該各楽曲データに対応するメタデータを格納するメタデータ記憶部とを備える音楽再生装置において音楽を再生するための方法であって、
利用者により指定された楽曲データを再生する際に、該楽曲データに対応するメタデータを前記メタデータ記憶部から読み出し、音声データに変換して、該音声データを前記楽曲データの再生前、再生中、再生後のいずれかのタイミングで再生することを特徴とする音楽再生方法。
【請求項９】
更に、前記音楽再生装置は、複数の属性値からなるメタデータを、助詞、助動詞などを含む文章データに変換するための型を複数規定した補完設定記憶部を備え、
前記型に基づいて、前記メタデータから文章データを生成し、該文章データを前記いずれかのタイミングで再生することを特徴とする請求項８記載の音楽再生方法。
【請求項１０】
前記補完設定記憶部は、前記文章データを生成するための型以外に、いずれの言語にするのか、男性・女性いずれの口調にするのか、いずれの地域の方言にするのか、どのような口調にするのかなどの設定も含み、該設定に基づいて文章データを生成することを特徴とする請求項９記載の音楽再生方法。
【請求項１１】
前記楽曲データの再生の状況に合わせて、前記文章データを生成するための型のうちのいずれを適用するかを決定し、直近に再生したメタデータのうち同一の属性値が含まれる場合には、当該属性値の部分を省略し、同等の内容は前記生成する文章データには含まれないようにすること特徴とする請求項１０記載の音楽再生方法。
【請求項１２】
更に、前記音楽再生装置は、前記楽曲データの再生状況を示す制御情報を格納する制御情報記憶部を備え、
前記楽曲データの再生状況によって前記制御情報を更新し、また、前記制御情報を音声データに変換して再生することを特徴とする請求項８記載の音楽再生方法。
【請求項１３】
前記制御情報として、前記複数の楽曲データを、ランダム再生を含む一定のルールで連続再生していることを示す選曲ルールを含むことを特徴とする請求項１２記載の音楽生成方法。
【請求項１４】
前記制御情報は、音楽再生の際の音量情報、サビのみ再生を行っていることを表すサビ再生等の情報を更に含むことを特徴とする請求項１２または請求項１３記載の音楽再生方法。
【請求項１５】
音楽再生装置を、複数の楽曲データと各楽曲データに対応するメタデータが記憶された記憶部および処理部を備える情報処理装置で実現するためのプログラムであって、
利用者により指定された楽曲データを再生する際に、該楽曲データに対応するメタデータを前記記憶部から読み出すステップと、
前記読み出されたメタデータを音声データに変換するステップと、
前記音声データを前記楽曲データの再生前、再生中、再生後のいずれかのタイミングで再生するステップと、
を前記情報処理装置の処理部に実行させることを特徴とするプログラム。
【請求項１６】
更に、前記記憶部には、複数の属性値からなるメタデータを、助詞、助動詞などを含む文章データに変換するための型を複数規定した補完設定が記憶され、
前記型に基づいて、前記メタデータから文章データを生成するステップと、
前記文書データを前記いずれかのタイミングで再生するステップと
を前記情報処理装置の処理部に実行させることを特徴とする請求項１５記載のプログラム。
【請求項１７】
前記補完設定は、前記文章データを生成するための型以外に、いずれの言語にするのか、男性・女性いずれの口調にするのか、いずれの地方の方言にするのか、どのような口調にするのかなどの設定も含み、該設定に基づいて文章データを生成することを特徴とする請求項１６記載のプログラム。
【請求項１８】
前記文章データを生成するステップにおいて、前記楽曲データの再生の状況に合わせて、前記文章データを生成するための型のうちいずれを適用するかを決定し、直近に再生したメタデータのうち同一の属性値が含まれる場合には、当該属性値の部分を省略し、同等の内容は前記生成する文章データには含まれないようにすることを特徴とする請求項１７記載のプログラム。
【請求項１９】
更に、前記記憶部には、前記楽曲データの再生状況を示す制御情報が記憶され、
前記楽曲データの再生状況によって前記制御情報を更新するステップと、
前記制御情報を音声データに変換し、再生するステップと、
を前記情報処理装置の処理部に実行させることを特徴とする請求項１５記載のプログラム。
【請求項２０】
前記制御情報として、前記複数の楽曲データを、ランダム再生を含む一定のルールで連続再生していることを示す選曲ルールを含むことを特徴とする請求項１９記載のプログラム。
【請求項２１】
前記制御情報は、音楽再生の際の音量情報、サビのみ再生を行っていることを表すサビ再生等の情報を更に含むことを特徴とする請求項１９または請求項２０記載のプログラム。
【請求項２２】
音楽再生装置を、複数の楽曲データと各楽曲データに対応するメタデータが記憶された記憶部および処理部を備える情報処理装置で実現するためのプログラムを記録した記録媒体であって、
利用者により指定された楽曲データを再生する際に、該楽曲データに対応するメタデータを前記記憶部から読み出すステップと、
前記読み出されたメタデータを音声データに変換するステップと、
前記音声データを前記楽曲データの再生前、再生中、再生後のいずれかのタイミングで再生するステップと、
を前記情報処理装置の処理部に実行させることを特徴とするプログラムを記録した記録媒体。
【発明の詳細な説明】
【技術分野】
【０００１】
本発明は、音楽再生装置および音楽の再生方法に関わり、更に詳しくは、音楽再生中に当該再生している音楽のメタデータ等を利用者に通知するための技術に関するものである。
【背景技術】
【０００２】
近年、他のことをしながら携帯型の音楽再生装置で音楽をＢＧＭ的に楽しむ人が増えてきている。特に、通勤通学時に携帯型音楽再生装置で音楽等を聴く人は増加の傾向にある。更に、パソコンなどの情報処理装置においては、メディアプレイヤーなどのソフトウェアで音楽が再生されるようになってきており、メディアプレイヤーをバックグラウンドで起動しておいて音楽を再生し、音楽を聴きながらパソコン作業をするなどの楽しみ方も増えてきている。また、従来どおりステレオコンポなどで音楽を楽しむことも行われている。【０００３】
このように、他のことをしながら音楽をＢＧＭ的に楽しむ場合、再生されている音楽に関連する情報、すなわち、その音楽の曲名、アルバム名、アーティスト名、ジャンル、発売日、タイアップ情報などのメタデータ（以後、単にメタデータと言う）を確認しにくい、という問題がある。つまり、携帯型音楽再生装置で曲を再生している場合には、該装置に表示装置が搭載されているとは限らず、また表示装置が搭載されていたとしても表示部が小さくて見にくい場合や、通勤通学時には見ることが困難な場合がある。また、パソコンなどで作業をしながら音楽を楽しんでいる場合には、バックグラウンドで起動している音楽再生ソフトウェアをフォアグランドにしなければならないという煩わしさが生じる。また、表示部の小さなステレオコンポではメタデータを確認するのは困難という場合もある。【０００４】
更に、例えば音楽再生装置の大容量記憶装置に格納された複数の曲を、ランダムを含む一定の選曲ルールで連続再生をするというように使われる場合があるが、そのような場合にどのような選曲ルールで曲が選択されて再生されているのかということを確認したいという要求がある。しかし、表示装置を備えない音楽再生装置ではその確認はできず、また表示装置を備えている音楽再生装置であったとしても、表示部が小さかったり、満員電車の中で表示部を見ることが困難であったりする場合がある。【０００５】
上述のように、従来、多くの音楽再生装置において、利用者にメタデータ等を表示装置等に表示して通知するのみであったため、音楽をＢＧＭ的に楽しんでいる利用者が音楽に関わる情報や音楽再生に関わる制御情報を容易に取得することができない、という問題があった。【０００６】
ところで、特許文献１では、ＣＤ（Ｃｏｍｐａｃｔ  Ｄｉｓｃ）やＭＤ（Ｍｉｎｉ  Ｄｉｓｃ）などの音楽蓄積媒体中の音楽データ再生中に、再生中の曲に関連する多くの情報を外部より取得して、表示する技術を開示しているが、上記問題を解決することはできない。【０００７】
また特許文献２では、記録媒体に記録された楽曲についての情報を音声情報で得られるようにした技術を開示しているが、記録媒体に各楽曲についての情報を音声信号で入力しなければならず、膨大な楽曲ある場合には該楽曲についての情報を入力する作業が膨大となってしまう。
【特許文献１】特開２０００−２９８９７８号公報
【特許文献２】特開２００４−７９０７１号公報
【発明の開示】
【０００８】
本発明は、係る事情に鑑みてなされたものであって、本発明の目的は、楽曲データ再生中に、該楽曲データに対応するメタデータや、再生に関わる制御情報を、音声により利用者に通知する音楽再生装置および音楽再生方法を提供し、利用者が再生中の音楽に関わる情報を容易に取得できるようにするところにある。
【０００９】
本発明の一態様によれば、音楽再生装置は、複数の楽曲データを格納する音楽データ格納手段と、前記各楽曲データに対応するメタデータを格納するメタデータ格納手段と、前記メタデータ等を音声データに変換する音声データ変換手段と、前記楽曲データおよび前記音声データを再生する再生手段と、再生する楽曲データに対応するメタデータを前記メタデータ格納手段から読み出し、前記音声データ変換手段に入力し、該音声データ変換手段から出力された音声データを、該楽曲データの再生前または再生中または再生後のいずれかのタイミングで前記再生手段に入力して音声再生させる制御を行う制御手段と、を備えることを特徴とする。
【００１０】
これにより、利用者は音楽再生中における或るタイミングで再生している楽曲データに関わる情報等を音声により取得することが可能である。またメタデータは音声データに変換されて再生されるものであるため、当該音楽再生装置に膨大な音声入力によってメタデータを作成する必要はない。  
【図面の簡単な説明】
【００１１】
【図１】本発明の原理構成を示す図である。
【図２】本発明の実施の形態である音楽再生装置の構成を示す図である。
【図３】音楽データ群とメタデータ群の一例を示す図である。
【図４】制御情報の一例を示す図である。
【図５】補完設定の一例を示す図である。
【図６】音楽再生装置においてメタデータを楽曲データの再生前に再生する場合のフローを示す図である。
【図７】図６の「メタデータを再生」（Ｓ６０５）の詳細フローを示す図である。
【図８】図６の「制御情報を再生」（Ｓ６１０）の詳細フローを示す図である。
【図９】図６の「メタデータを再生」（Ｓ６０５）において、メタデータのうち共通の属性値を含むものを連続して再生する場合に冗長な部分を省略して再生する処理動作について説明するフロー図である。
【図１０】音楽再生装置において選択項目が選択されたときのフロー図を示す図である。
【図１１】音楽再生装置を実現する情報処理装置のハードウェア構成を示す図である。
【図１２】プログラムの情報処理装置へのローディングを説明する図である。
【発明を実施するための最良の形態】
【００１２】
以下、図面を参照して、本発明の実施の形態について説明する。
図１に本発明の原理構成を示す。
図１のように、本発明の音楽再生装置は、複数の楽曲データを格納する音楽データ格納部１０１と、各楽曲データに関わる情報、例えば曲名、アルバム名、アーティスト名、ジャンル、発売日、タイアップ情報などからなるメタデータを格納するメタデータ格納部１０２と、利用者が音楽の再生や停止、音量の調節などの指示を行うための操作部１０８と、メタデータ等を音声データに変換する音声変換部１０５と、複数の属性によって構成されるメタデータの各属性値（名詞）から助詞、助動詞を含む文章データを生成したり、言語設定に基づいて該当言語に変換したり、規定された方言や口調などに文章データの表現を変換したりする処理を行う補完部１０６と、メタデータを文章データに変換する際の様々な設定を格納する補完設定格納部１０７と、楽曲データ、音声データ等を再生する音声再生部１０９と、各部の制御を行う制御部１０３と再生状況に関わる装置の制御情報等を格納する制御情報格納部１０４から構成される。【００１３】
本発明の音楽再生装置は、再生対象の楽曲データに対応するメタデータを用いて、楽曲の再生前または再生後または再生中や選択時にそのメタデータを音声で利用者に通知することで、表示装置等をみなくても楽曲情報がわかるように構成されている。また、複数の名詞の集合で構成されるメタデータをただ単に通知するのではなく、例えば曲名が、ＡＢＣ，アルバム名がＤＥＦ，アーティスト名がＸＹＺの場合には、「曲名はＡＢＣです」や「ＸＹＺのＡＢＣです」のように、人間の話言葉で通知するように構成されている。さらに、再生対象の楽曲が複数あり、それら複数楽曲に共通するメタデータの属性値（名詞）がある場合は、該共通する名詞を音声で通知することで楽曲群の情報を伝達するようにも構成されている。例えば、アルバムの一連の音楽を再生場合には、「アルバムＤＥＦを再生します」というように通知するなどである。【００１４】
また、音楽データ格納部１０１に数多く楽曲が格納されている場合に、それらをランダムを含む一定の選曲ルールで連続再生している場合に、該選曲ルールを音声通知するようにも構成されている。例えば、アルバムの一連の音楽を再生する前に「アルバムＤＥＦを再生します」と通知したり、ランダム再生する場合に「ランダム再生中」と通知するなどである。【００１５】
また、各情報を利用者に通知する場合に、一度通知した内容を省略したり、通知する言語を変更したり、時間帯や利用者の地域設定で通知する言い回しや口調を変えることで、より親しみやすい情報提供が可能なようにも構成されている。【００１６】
次に、図２から図１０を参照して、本発明の実施の形態である音楽再生装置について説明し、本発明をより明確にする。図２の音楽再生装置は大容量の記憶装置を搭載した携帯音楽プレイヤーに相当する。【００１７】
本発明の実施の形態である音楽再生装置は、音楽データ群２０１、メタデータ群２０２、制御部２０３、制御情報２０４、音声変換部２０５、補完部２０６、補完設定２０７、操作装置２０８、音声再生装置２０９から構成される。【００１８】
音楽データ群２０１は、大容量記憶装置に存在し、複数の楽曲データ２０１−１〜２０１−Ｎを格納する。
また、メタデータ群２０２は、各楽曲データ２０１−１〜２０１−Ｎに対応する、各楽曲の情報である。例えば、メタデータを構成する属性は「曲名」、「アルバム名」、「アーティスト名」、「ジャンル名」、「発売日」などであり、対応する楽曲データに関連する情報から構成されものである。【００１９】
操作装置２０８は、利用者が音楽再生や停止、音量調節などの指示を行うための入力ボタンなどで構成される。
音声再生装置２０９は、音声データを再生し、スピーカ等の出力装置に伝達して音声を再生するための装置である。【００２０】
また、補完部２０６はメタデータを再生する際に補完設定２０７に規定された設定に基づいてメタデータから文章データを生成する処理を行うところである。詳細は後述する。
制御情報２０４は再生装置における再生状況を示す情報を格納する部分である。【００２１】
音声変換部２０５は各種データを音声データに変換する処理を行うところである。
制御部２０３は、各部の制御を行うところである。
次に、図２に示した音楽再生装置がどのように動作するかについて説明をするが、説明のために音楽データ群２０１、メタデータ群２０２、制御情報２０４、補完設定２０７の具体例を図３、図４、図５に示し、これを利用して説明することにする。【００２２】
図３は、音楽データ群２０１とメタデータ群２０２の一例を示すものである。音楽データ群２０１は、楽曲データ２０１−１〜２０１−５からなっており、それに対応してメタデータ群２０２に、メタデータ２０２−１〜２０２−５が存在する。各メタデータ２０２−１〜２０２−５は「曲名」、「トラック番号」、「アルバム名」、「アーティスト名」、「ジャンル名」の５つの属性から構成されている。楽曲データ２０１−１〜２０１−５およびメタデータ２０２−１〜２０２−５は、楽曲データを利用者が購入等により取得した際に、記憶装置に格納されるものである。【００２３】
また、図４は制御情報２０４の一例を示すものである。制御情報２０４は、再生の状況、再生履歴、選択履歴、選曲ルールを含んで成る。再生の状況は、停止、再生中、音量、サビのみ再生中などの音声再生装置の再生の状況を示すものである。また再生履歴とは、最後に再生した楽曲データのメタデータ、再生時刻などを記憶したものである。また選択履歴とは、最後に選択した楽曲データのメタデータ、選択時刻などを記憶したものである。また選曲ルールとは、単独再生、アルバム再生、アーティスト再生、ジャンル再生、キーワード再生、ランダム再生など音声再生装置が一定のルールで連続再生する場合の選曲のルールを示す情報を記憶したものである。制御情報２０４は、制御部２０３が音声再生装置の制御の状況によって随時更新するものである。【００２４】
また、図５は補完設定２０７の一例を示すものである。型１〜型Ｎは、メタデータを構成する複数の属性値（名詞）間に助詞等を挿入し、文章データを生成するためのパターンを規定したものである。また、言語はメタデータから利用者に通知するための文章データを生成するときにいずれの言語（例えば、日本語、英語、仏語、独語など）で生成するかを規定したものである。また、地域は、例えば言語設定が日本語の場合に、更に方言などで利用者に通知する場合などに、その方言をいずれの地域の方言にするかを規定したものである。発声は、大人の男性の声、大人の女性の声、子供の声などの利用者に音声通知する際の音声の種類を規定したものである。また、口調は丁寧な口調にするか、くだけた口調にするのかなどを規定したものである。尚、補完設定２０７の各種設定は利用者が操作装置２０８から変更登録することが可能である。【００２５】
以下、音楽再生装置の動作について説明するが、まず（１）音声再生装置においてメタデータを楽曲再生中のいずれかのタイミングで再生し、また制御情報を通知する処理の動作について説明し、次に（２）メタデータのうち共通の属性値を含むものを連続して再生する場合に冗長な部分を省略して再生する処理動作について説明し、次に（３）音楽再生装置において選択項目が選択されたときの動作について説明することにする。【００２６】
まず、（１）音声装置においてメタデータを楽曲再生中のいずれかのタイミングで再生し、また制御情報を通知する処理の動作の説明についてであるが、図６、図７、図８を参照して説明する。【００２７】
図６は、メタデータを楽曲再生前に再生し、利用者に通知するフローを示すものである。
まずＳ６０１で、利用者から楽曲の再生が指示される。Ｓ６０２で、補完設定２０７に規定された設定を取得し、Ｓ６０３で制御情報２０４に格納された制御情報を取得する。またＳ６０４で、再生が指定された楽曲データに対応するメタデータをメタデータ群２０２から取得する。Ｓ６０５で、メタデータを再生する。Ｓ６０５については、図７を参照して、より詳細に説明する。Ｓ６０６で、制御情報２０４に格納された制御情報を更新する。Ｓ６０７で、楽曲データを再生する。Ｓ６０８で、制御情報２０４に格納された制御情報を更新する。そして、Ｓ６０９で次に再生する曲の指定があるか否かを判断し、次曲がある場合（Ｙｅｓ）にはＳ６０３に戻る。次曲がない（Ｎｏ）場合にはＳ６１０で制御情報を再生する。Ｓ６１０については、図８を参照して、より詳細に説明する。【００２８】
尚、メタデータを楽曲再生前に再生するのはＳ６０５のメタデータ再生が図６に示されるタイミングで処理される場合であるが、Ｓ６０５を、楽曲データ再生（Ｓ６０７）の後のタイミングにしたり、楽曲データ再生（Ｓ６０７）の中のタイミングにしたりすることでメタデータ再生のタイミングを調節することは可能である。このタイミング調節の設定は、例えば補完設定２０７に設定することが可能であり、また制御情報として該メタデータ再生タイミングを含むように構成することも可能である。【００２９】
図７を参照して、図６の「メタデータを再生」（Ｓ６０５）を詳細に説明する。
まずＳ７０１で、Ｓ６０４で読み出されたメタデータをもとに補完部２０６が文章データを生成する。文章データは、図３に示したメタデータを構成する各属性であるアーティスト名、アルバム名、トラック番号、曲名のそれぞれの値と図５に示した補完設定の型１のパターンとから、“「アーティスト名」のアルバム「アルバム名」の「トラック番号」曲目、「曲名」を再生します”という文章となる。次にＳ７０２で、制御情報２０４を参照し、再生中か否かが判断され、再生中でない場合（Ｎｏ）はＳ７０９に進む。再生中の場合（Ｙｅｓ）はＳ７０３に進む。Ｓ７０３で同じ曲か否かが判断され、同じ曲でない場合（Ｎｏ）はＳ７０５に進む。同じ曲の場合（Ｙｅｓ）、Ｓ７０４に進み、図５に示した補完設定の型２のパターンに基づいて文章データを“次も「曲名」です”に変更し、Ｓ７０９に進む。Ｓ７０５では、同じアルバムか否かが判断され、同じアルバムではない場合（Ｎｏ）は、Ｓ７０７に進む。同じアルバムの場合（Ｙｅｓ）、Ｓ７０６に進み、図５に示した補完設定の型３のパターンに基づいて“次は「トラック番号」曲目、「曲名」です”に文書データを変更し、Ｓ７０９に進む。Ｓ７０７では、同じアーティストか否かが判断され、同じアーティストではない場合（Ｎｏは、Ｓ７０９に進む。同じアーティストの場合（Ｙｅｓ）、Ｓ７０８に進み、図５に示した補完設定の型４のパターンに基づいて“次はアルバム「アルバム名」の「トラック番号」曲目、「曲名」です”に文章データを変更し、Ｓ７０９に進む。Ｓ７０９では、文章データを音声データに変換し、Ｓ７１０で音声データを再生し、利用者に通知する。【００３０】
また、図８を参照して、図６の「制御情報を再生」（Ｓ６１０）を詳細に説明する。
まずＳ８０１で、制御情報２０４が読み出される。例えば制御情報のうち選曲ルールを利用者に通知する場合には、制御部２０３は選曲ルール「単独再生」を取得する。Ｓ８０２で、選曲ルール「単独再生」と補完設定の型（図５には不図示）から補完部２０６が文章データを生成する。Ｓ８０３で、生成された文章データを音声データに変換し、Ｓ８０４で音声データを再生する。尚、制御情報として選曲ルールを通知する例で説明したが、制御情報のうち再生装置の音量情報や、再生履歴や選択履歴などいずれの制御情報２０４に格納されているいずれの情報を通知するように構成することは可能である、
以上、図６、図７、図８に示した音声再生装置の動作により、対象となる楽曲データの再生前、再生中、再生後のいずれかのタイミングで文章化されたメタデータを音声再生し、利用者に通知すること、および音楽再生に関わる制御情報、例えば複数の楽曲データを、ランダム再生を含む一定のルールで連続再生している場合にはその選曲ルールを、単独再生をしている場合には単独再生している旨の通知を利用者に通知することが可能となる。【００３１】
更に、より具体的に説明すると次のように処理が行われる。
利用者は操作装置２０８により制御部２０３に楽曲データ２０１−１の再生を指示する（Ｓ６０１）。制御部２０３は、補完設定２０７（例えば、日本語で補完、地域：関東、とする）を読み出す（Ｓ６０２）。制御部２０３は、制御情報２０４より再生状況（停止）、再生履歴（Ｂｌｕｅ  Ｓｕｍｍｅｒ，２，Ｃｏｌｏｒｓ，ＺＯＯ，Ｊ−Ｐｏｐｓ）を読み出す（Ｓ６０３）。制御部２０３は、楽曲データ２０１−１に対応するメタデータ２０２−１から曲名（ＷＩＮＴＥＲ  ＤＯＧ）、トラック番号（１番目）、アルバム名（ＡＮＩＭＡＬＳ）、アーティスト名（ＺＯＯ）、ジャンル名（Ｊ−Ｐｏｐｓ）を読み出す（Ｓ６０４）。制御部２０３は、読み出した補完設定、制御情報、メタデータを補完部２０６に入力し、補完設定により日本語で文章データを生成する、補完処理を行い、補完設定とメタデータを構成する各属性値（名詞）に従って文章データを生成する（Ｓ７０１）。例えば、“ＺＯＯのアルバムＡＮＩＭＡＬＳの１曲目、ＷＩＮＴＥＲ  ＤＯＧを再生します”となる。補完部２０６は、再生状況と、再生履歴とメタデータを比較することにより、必要に応じ文章データを変更する（Ｓ７０２〜Ｓ７０８）。例えば、再生中かつ前回と同じ曲は再生する場合は“次もＷＩＮＴＥＲ  ＤＯＧです”と変更する。また再生中かつ前回と同じアルバムの違う曲（ＳＵＭＭＥＲ  ＣＡＴ）の場合は、“次は２曲目、ＳＵＭＭＥＲ  ＣＡＴです”と変更する。また、再生中かつ前回と同じアーティストの違う曲（Ｒｅｄ  Ｆｌｏｗｅｒｓ）の場合は“次はアルバムＣｏｌｏｒｓの１曲目、Ｒｅｄ  Ｆｌｏｗｅｒｓです”と変更する。補完部２０６は、文章データを制御部２０３に出力する。制御部２０３は、文章データを音声変換部２０５に入力する。音声変換部２０５は、文章データを音声データに変換し、制御部２０３に出力する（Ｓ７０９）。制御部２０３は、音声データを音声再生装置２０９に入力する。音声再生装置２０９は音声データの再生を行う（Ｓ７１０）。利用者は、“ＺＯＯのアルバムＡＮＩＭＡＬＳの１曲目、ＷＩＮＴＥＲ  ＤＯＧを再生します”と聞く。利用者は楽曲データ２０１−１を聞く。楽曲データ２０１−１の再生終了後、制御情報の再生履歴を最後に再生した曲のメタデータに更新する（Ｓ６０８）。そして制御部２０３は次曲があるか判定する（Ｓ６０９）。次曲がある場合、Ｓ６０３に戻る。次曲がない場合、制御部２０３は再生状況を停止にする。そして、制御情報である選曲ルールを再生する（Ｓ６１０）。まず、制御部２０３は、制御情報２０４から選曲ルールを取得する（Ｓ８０１）。次に取得された選曲ルールと補完設定２０７（日本語で補完、地域：関東）を補完部２０６に入力し、補完部２０６は文章データを生成し（Ｓ８０２）、制御部２０３に出力する。例えば、単独再生をしている場合には“再生を終了します”、アルバム再生やアーティスト再生、ジャンル再生、ランダム再生の場合は、それぞれ“アルバム「アルバム名」をお送りしました”、“「アーティスト名」をお送りしました”、“「ジャンル名」をお送りしました”、“ランダム再生でお送りしました”といった文章データとなる。制御部２０３は文書データを音声変換部２０５に入力し、音声変換部２０５は文章データを音声データに変換し、制御部２０３に出力する（Ｓ８０３）。制御部２０３は、音声データを音声再生装置２０９に入力し、音声再生装置２０９が音声データの再生を行い、利用者は選曲ルールを聞く（Ｓ８０４）。【００３２】
次に（２）メタデータのうち共通の属性値を含むものを連続して再生する場合に冗長な部分を省略して再生する処理動作について、図９を参照して説明する。
図９も、図６の「メタデータを再生」（Ｓ６０５）を詳しく説明するフロー図である。【００３３】
まず、Ｓ９０１で、Ｓ６０４で読み出されたメタデータを下に補完部２０６が文章データを生成する。文章データは、図３に示したメタデータを構成する各属性であるアーティスト名、アルバム名、トラック番号、曲名のそれぞれの値と図５に示した補完設定の型１のパターンとから、“「アーティスト名」のアルバム「アルバム名」の「トラック番号」曲目、「曲名」を再生します”という文章となる。次に、Ｓ９０２で、制御情報２０４を参照し、再生中か否かが判断され、再生中ではない場合（Ｎｏ）は、Ｓ９０３に進む。再生中の場合（Ｙｅｓ）はＳ９０５に進む。【００３４】
Ｓ９０３では、制御情報２０４を参照し、単独再生か否かが判断され、単独再生の場合（Ｙｅｓ）はＳ９１１に進む。単独再生ではない場合（Ｎｏ）は、Ｓ９０４で文章データを変更する。図５の補完設定には不図示であるが、補完設定に規定される文章データ生成のための型を参照し、アルバム再生をしている場合には“「アーティスト名」のアルバム「アルバム名」をお送りします。「トラック番号」曲目、「曲名です」。”という文章に変更し、アーティスト再生をしている場合には“「アーティスト名」をお送りします。アルバム「アルバム名」の「トラック番号」曲目、「曲名」です。”という文章に変更し、ジャンル再生をしている場合には“「ジャンル名」をお送りします。「アーティスト名」のアルバム「アルバム名」の「トラック番号」曲目、「曲名」を再生します。”という文章に変更する。そして、Ｓ９１１に進む。【００３５】
Ｓ９０５では、同じ曲か否かが判断され、同じ曲でない場合（Ｎｏ）はＳ９０７に進む。同じ曲である場合（Ｙｅｓ）には、Ｓ９０６に進み文章データを変更する。図５に示した補完設定の型２のパターンに基づいて、文章データは“次も「曲名」です。”に変更される。そして、Ｓ９１１に進む。【００３６】
Ｓ９０７では、同じアルバムか否かが判断され、同じアルバムではない場合（Ｎｏ）は、Ｓ９０９に進む。同じアルバムの場合はＳ９０８に進み、文章データを変更する。図５に示した補完設定の型３のパターンに基づいて、文章データは“次は「トラック番号」曲目、「曲名」です。”に変更される。そしてＳ９１１に進む。【００３７】
Ｓ９０９では、同じアーティストか否かが判断され、同じアーティストではない場合（Ｎｏ）は、Ｓ９１１に進む。同じアーティストの場合（Ｙｅｓ）はＳ９１０に進み、文章データを変更する。図５に示した補完設定の型４のパターンに基づいて、文章データは“次はアルバム「アルバム名」の「トラック番号」曲目、「曲名」です。”に文章データは変更される。そしてＳ９１１に進む。【００３８】
Ｓ９１１では、文章データを音声データに変換し、Ｓ９１２で音声データを再生し利用者に通知する。
図９に示した音声再生装置の動作により、メタデータを構成する各属性値のうち、前回利用者に通知した情報と同じ内容の属性値を含む場合にはその値を省略することが可能となる。これにより、冗長な部分を省略することが可能で、利用者に機械的に情報を通知している感じを与えず、より自然な通知が可能である。【００３９】
図６、図８、図９の処理をより具体的に説明すると次のようになる。
利用者は操作装置２０８により制御部２０３にアルバム（ＡＮＩＭＡＬＳ）（楽曲データの２０１−１、２０１−２、２０１−３）の再生を指示する（Ｓ６０１）。制御部２０３は、補完設定２０７（例えば、日本語で補完、地域：関東、とする）を読み出す（Ｓ６０２）。制御部２０３は、制御情報２０４より再生状況（停止）、再生履歴（Ｂｌｕｅ  Ｓｕｍｍｅｒ，２，Ｃｏｌｏｒｓ，ＺＯＯ，Ｊ−Ｐｏｐｓ）を読み出す（Ｓ６０３）。制御部２０３は、楽曲データ２０１−１に対応するメタデータ２０２−１から曲名（ＷＩＮＴＥＲ  ＤＯＧ）、トラック番号（１番目）、アルバム名（ＡＮＩＭＡＬＳ）、アーティスト名（ＺＯＯ）、ジャンル名（Ｊ−Ｐｏｐｓ）を読み出す（Ｓ６０４）。制御部２０３は、読み出した補完設定、制御情報、メタデータを補完部２０６に入力し、補完設定により日本語で文章データを生成する補完処理を行い、補完設定とメタデータを構成する各属性値（名詞）に従って文章データを生成する（Ｓ９０１）。補完設定の型１により“ＺＯＯのアルバムＡＮＩＭＡＬＳの１曲目、ＷＩＮＴＥＲ  ＤＯＧを再生します。”となる。【００４０】
補完部２０６は制御情報２０４の再生状況と再生履歴とメタデータを比較することにより、必要に応じて文章データを変更する処理を行う。この場合、制御情報２０４の再生状況が停止中であるため、Ｓ９０２でＳ９０３に進む。アルバム再生を行っているため、Ｓ９０３からＳ９０４に進み文章データの変更を行う。文章データは“ＺＯＯのアルバムＡＮＩＭＡＬＳをお送りします。１曲目、ＷＩＮＴＥＲ  ＤＯＧです。”に変更される。そして、補完部２０６は文章データを制御部２０３に出力する。制御部２０３は文章データを音声変換部２０５に入力する。音声変換部２０５は文章データを音声データに変換を行い、制御部２０３に出力する（Ｓ９１１）。制御部２０３は、音声データを音声再生装置２０９に入力する。音声再生装置２０９は音声データの再生を行う（Ｓ９１２）。利用者は“ＺＯＯのアルバムＡＮＩＭＡＬＳをお送りします。１曲目、ＷＩＮＴＥＲ  ＤＯＧです。”を聞く。利用者は楽曲データ２０１−１を聞く（Ｓ６０７）。楽曲データ２０１−１の再生終了後、制御部２０３は制御情報２０４の再生状況（再生中）と再生履歴（ＷＩＮＴＥＲ  ＤＯＧ，１，ＡＮＩＭＡＬＳ，ＺＯＯ，Ｊ−Ｐｏｐｓ）を更新する（Ｓ６０８）。【００４１】
そして制御部２０３は次曲があるか判定する（Ｓ６０９）。アルバム再生であるため、次の曲があるためＳ６０３に戻る。制御部２０３は、制御情報２０４より、再生状況（再生中）、再生履歴（ＷＩＮＴＥＲ  ＤＯＧ，１，ＡＮＩＭＡＬＳ，ＺＯＯ，Ｊ−Ｐｏｐｓ）を読み出す（Ｓ６０３）。制御部２０３は、楽曲データ２０１−２に対応するメタデータ２０２−２から曲名（ＳＵＭＭＥＲ  ＣＡＴ）、トラック番号（２番目）、アルバム名（ＡＮＩＭＡＬＳ），アーティスト名（ＺＯＯ）、ジャンル名（Ｊ−Ｐｏｐｓ）を読み出す（Ｓ６０４）。制御部２０３は、読み出した補完設定、制御情報、メタデータを補完部２０６に入力し、補完設定により日本語で文章データを生成する補完処理を行い、補完設定とメタデータを構成する各属性値（名詞）に従って文章データを生成する（Ｓ９０１）。更に再生状況と、再生履歴とメタデータを比較することにより、必要に応じ文章データを変更する。この場合、再生中でかつ前回と同じアルバムの中の違う曲（ＳＵＭＭＥＲ  ＣＡＴ）なのでＳ９０２からＳ９０８に進み“次は２曲目、ＳＵＭＭＥＲ  ＣＡＴです。”という文章データに変更される。そして、補完部２０６は文章データを制御部２０３に出力する。制御部２０３は文章データを音声変換部２０５に入力する。音声変換部２０５は文章データを音声データに変換を行い、制御部２０３に出力する（Ｓ９１１）。制御部２０３は、音声データを音声再生装置２０９に入力する。音声再生装置２０９は音声データの再生を行う（Ｓ９１２）。利用者は“次の曲は２曲目、ＳＵＭＭＥＲ  ＣＡＴです。”を聞く。利用者は楽曲データ２０１−２を聞く（Ｓ６０７）。楽曲データ２０１−２の再生終了後、制御部２０３は制御情報２０４の再生状況（再生中）と再生履歴（ＳＵＭＭＥＲ  ＣＡＴ，２，ＡＮＩＭＡＬＳ，ＺＯＯ，Ｊ−Ｐｏｐｓ）を更新する（Ｓ６０８）。【００４２】
そして制御部２０３は次曲があるか判定する（Ｓ６０９）。アルバム再生であるため、３曲目があるためＳ６０３に戻る。制御部２０３は、制御情報２０４より、再生状況（再生中）、再生履歴（ＳＵＭＭＥＲ  ＣＡＴ，２，ＡＮＩＭＡＬＳ，ＺＯＯ，Ｊ−Ｐｏｐｓ）を読み出す（Ｓ６０３）。制御部２０３は、楽曲データ２０１−３に対応するメタデータ２０２−３から曲名（ＲＡＴ）、トラック番号（３番目）、アルバム名（ＡＮＩＭＡＬＳ），アーティスト名（ＺＯＯ）、ジャンル名（Ｊ−Ｐｏｐｓ）を読み出す（Ｓ６０４）。制御部２０３は、読み出した補完設定、制御情報、メタデータを補完部２０６に入力し、補完設定により日本語で文章データを生成する補完処理を行い、補完設定とメタデータを構成する各属性値（名詞）に従って文章データを生成する（Ｓ９０１）。更に再生状況と、再生履歴とメタデータを比較することにより、必要に応じ文章データを変更する。この場合、再生中でかつ前回と同じアルバムの中の違う曲（ＲＡＴ）なのでＳ９０２からＳ９０８に進み“次は３曲目、ＲＡＴです。”という文章データに変更される。そして、補完部２０６は文章データを制御部２０３に出力する。制御部２０３は文章データを音声変換部２０５に入力する。音声変換部２０５は文章データを音声データに変換を行い、制御部２０３に出力する（Ｓ９１１）。制御部２０３は、音声データを音声再生装置２０９に入力する。音声再生装置２０９は音声データの再生を行う（Ｓ９１２）。利用者は“次の曲は３曲目、ＲＡＴです。”を聞く。利用者は楽曲データ２０１−３を聞く（Ｓ６０７）。楽曲データ２０１−３の再生終了後、制御部２０３は制御情報２０４の再生状況（再生中）と再生履歴（ＲＡＴ，３，ＡＮＩＭＡＬＳ，ＺＯＯ，Ｊ−Ｐｏｐｓ）を更新する（Ｓ６０８）。【００４３】
そして制御部２０３は次曲があるか判定する（Ｓ６０９）。ここでアルバムの再生が終了するため、次曲がないため、制御部２０３は制御情報２０４の再生状況を停止に更新して、Ｓ６１０に進む。【００４４】
Ｓ６１０では、制御情報のうち選曲ルールを通知する例を説明する。制御部２０３は、制御情報２０４から選曲ルールを取得する（Ｓ８０１）。次に取得された選曲ルール（アルバム再生）と補完設定２０７（日本語で補完、地域：関東）を補完部２０６に入力し、補完部２０６は文章データを生成し（Ｓ８０２）、制御部２０３に出力する。この場合アルバム再生をしているため“アルバムＡＮＩＭＡＬＳをお送りしました。”といった文章データを生成する。制御部２０３は文書データを音声変換部２０５に入力し、音声変換部２０５は文章データを音声データに変換し、制御部２０３に出力する（Ｓ８０３）。制御部２０３は、音声データを音声再生装置２０９に入力し、音声再生装置２０９が音声データの再生を行い、利用者は“アルバムＡＮＩＭＡＬＳをお送りしました。”を聞く（Ｓ８０４）。
次に（３）音楽再生装置において選択項目が選択されたときの動作について、図１０を参照して説明する。【００４５】
まずＳ１００１で、利用者がなんらかの選択項目を操作装置２０８により選択する。Ｓ１００２で、補完設定を取得し、Ｓ１００３で制御情報を取得する。また、Ｓ１００４で選択された項目に対応するメタデータを読み出す。次にＳ１００５で読み出した補完設定、制御情報、メタデータから文章データを生成する。例えば、曲選択時には“「アーティスト名」のアルバム「アルバム名」の「曲名」です。”という文章データを生成し、アルバム選択時には“アルバム「アルバム名」です。”という文章データを生成し、アーティスト選択時には“「アーティスト名」です。”という文章データを生成し、ジャンル選択時には“「ジャンル名」です。”という文章データを生成し、その他の項目の選択時には“「項目名」です。”という文章データを生成する。【００４６】
次にＳ１００６で、前回と同じ項目が選択されたか否かが判断される。同じ項目が選択された場合（Ｙｅｓ）にはＳ１０１１に進む。異なる項目が選択された場合（Ｎｏ）には、Ｓ１００７に進む。Ｓ１００７では、同じアルバム内の違う曲が選択されたか否かが判断される。同じ曲が選択された場合（Ｎｏ）にはＳ１００９に進む。違う曲が選択された場合（Ｙｅｓ）には、Ｓ１００８に進み文章データを“「曲名」です。”に変更し、Ｓ１０１１に進む。Ｓ１００９では、同じアーティストの別アルバム内の曲か否かが判断される。同じアーティストで別アルバム内の曲ではない場合（Ｎｏ）にはＳ１０１１に進む。同じアーティストで別アルバムの曲である場合（Ｙｅｓ）には、Ｓ１０１０に進み、文章データを“アルバム「アルバム名」の「曲名」です。”に変更しＳ１０１１に進む。Ｓ１０１１では、文章データを音声データに変換し、Ｓ１０１２で、音声データを再生し、Ｓ１０１３で制御情報を更新して処理を終える。【００４７】
図１０に示した音声再生装置の動作により、選択項目が選択された際に、利用者に選択項目を音声により通知することが可能である。また、利用者に通知する際に冗長となる部分については省略して通知することが可能で、利用者に機械的に情報を通知している感じを与えず、より自然な通知が可能である。【００４８】
より具体的に説明すると、次のように処理が行われる。
まず、利用者が楽曲２０１−１を操作装置２０８により選択する（Ｓ１００１）。次に、制御部２０３は補完設定２０７（例えば、日本語で補完、地域：関東、とする）を読み出す（Ｓ１００２）。次に、制御部２０３は制御情報２０４のうち選択履歴（例えばＢｌｕｅ  Ｓｕｍｍｅｒ，２，Ｃｏｌｏｒｓ，ＺＯＯ，Ｊ−Ｐｏｐｓ）を読み出す（Ｓ１００３）。【００４９】
次に制御部２０３は、選択項目に応じたメタデータを読み出す（Ｓ１００４）。今、楽曲データ２０１−１が選択されているため、対応するメタデータ２０２−１から曲名（ＷＩＮＴＥＲ  ＤＯＧ）、トラック番号（１番目）、アルバム名（ＡＮＩＭＡＬ）、アーティスト名（ＺＯＯ）、ジャンル名（Ｊ−Ｐｏｐｓ）が読み出される。【００５０】
次に、制御部２０３は、読み出した補完設定、制御情報、メタデータを補完部２０６に入力する（Ｓ１００５）。補完部２０６は、補完設定により日本語での文章を生成する。今楽曲データ２０１−１が選択されたため、この場合の文章データは“ＺＯＯのアルバムＡＮＩＭＡＬＳのＷＩＮＴＥＲ  ＤＯＧです。”となる。【００５１】
更に補完部２０６は、選択履歴とメタデータを比較することにより、必要に応じ文章データを変更する（Ｓ１００６、Ｓ１００７、Ｓ１００８、Ｓ１００９、Ｓ１０１０の処理）。今、選択履歴が（Ｂｌｕｅ  Ｓｕｍｍｅｒ，２，Ｃｏｌｏｒｓ，ＺＯＯ，Ｊ−Ｐｏｐｓ）で、楽曲データ２０１−１（メタデータ：ＷＩＮＴＥＲ  ＤＯＧ，１，ＡＮＩＭＡＬＳ，ＺＯＯ，Ｊ−Ｐｏｐｓ）が選択されている、すなわち前回選択時と同じアーティストの別アルバム内の曲を選択されているため、“アルバムＡＮＩＭＡＬＳのＷＩＮＴＥＲ  ＤＯＧです。”のように変更する。【００５２】
次に、補完部２０６は文章データを制御部２０３に出力し、制御部２０３は文章データを音声変換部２０５に入力する。音声変換部２０５は、文章データを音声データに変換し、制御部２０３に出力する（Ｓ１０１１）。【００５３】
次に制御部２０３は音声データを音声再生装置２０９に出力し、音声再生装置は音声データの再生を行う（Ｓ１０１２）。利用者は“アルバムＡＮＩＭＡＬＳのＷＩＮＴＥＲ  ＤＯＧです。”を聞く。制御部２０３は、選択履歴（ＷＩＮＴＥＲ  ＤＯＧ，１，ＡＮＩＭＡＬＳ，ＺＯＯ，Ｊ−Ｐｏｐｓ）を更新する（Ｓ１０１３）。【００５４】
以上のように、図２〜図１０を参照して本発明の実施の形態の音楽再生装置を詳細に説明した。
しかしながら、本発明は上述した音楽再生装置の構成に限定されるものではない。
例えば、図５に示した補完設定において、「地域」が関西の設定の場合に、文章データを関西弁になるように生成したり、また「発声」が女性の声の設定の場合には女性の声で音声再生するようにしたり、「口調」がＤＪ風の設定の場合にはＤＪ風に音声再生したりするように、上記音楽再生装置の構成を変更することは容易である。また、利用者に通知する内容が冗長になる場合に冗長部分を省略することを説明したが、同様な内容をまとめて適当なタイミングで通知するように構成を変えることは容易である。これにより例えばアルバムの一連の音楽を再生場合には、アルバム再生の最初に「アルバムＤＥＦを再生します」というように通知することも可能になる。【００５５】
また、本発明の実施の形態として携帯音楽プレイヤーを例に説明したが、ステレオコンポなどに応用しても構わないし、更には本発明はハードウェア装置と実現されるのではなく、パソコンなどの情報処理装置上で動作するソフトウェアプログラムによって実現されてもよい。【００５６】
図１１に本発明の音楽再生装置を実現する情報処理装置のハードウェア構成を示す。
情報処理装置１１００は、ＣＰＵ１１０１、メモリ１１０２、入力装置１１０３、出力装置１１０４、外部記憶装置１１０５、媒体駆動装置１１０６、及びネットワーク接続装置１１０７を備え、それらはバス１１０８により互いに接続されている。【００５７】
メモリ１１０２は、例えばＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等を含み、音声再生装置を実現するためのプログラムや楽曲データ、メタデータを格納する。【００５８】
ＣＰＵ１１０１は、メモリ１１０２を利用してプログラムを実行することにより音楽再生装置を実現する。
入力装置１１０３は、例えば、キーボード、ポインティングデバイス、タッチパネル等であり利用者からの指示や情報の入力に用いられる。出力装置１１０４は、例えばディスプレイやプリンタ等であり、情報処理装置１１００の利用者への問い合わせ、処理結果等の出力に用いられる。【００５９】
外部記憶装置１１０５は、例えば磁気ディスク装置、光ディスク装置、光磁気ディスク装置等である。この外部記憶装置１１０５にプログラムとデータを保存しておき、必要に応じて、それらをメモリ１１０２上にロードして使用することもできる。【００６０】
媒体駆動装置１１０６は、可搬型記録媒体１１０９を駆動し、その記録内容にアクセスする。可搬型記録媒体１１０９としては、メモリカード、メモリスティック、フレキシブルディスク、ＣＤ−ＲＯＭ（Ｃｏｍｐａｃｔ  Ｄｉｓｃ  Ｒｅａｄ  Ｏｎｌｙ  Ｍｅｍｏｒｙ、光ディスク、光磁気ディスク、ＤＶＤ（Ｄｉｇｉｔａｌ  Ｖｅｒｓａｔｉｌｅ  Ｄｉｓｋ）等、任意のコンピュータで読み取り可能な記録媒体が用いられる。この可搬型記録媒体１１０９にプログラムとデータを格納しておき、必要に応じて、それらをメモリ１１０２にロードして使用することもできる。【００６１】
ネットワーク接続装置１１０７は、ＬＡＮ，ＷＡＮ等の任意のネットワーク（回線）を介して外部の装置と通信し、通信に伴うデータ変換を行う。また、必要に応じて、プログラムとデータを外部装置から受け取り、それらをメモリ１１０２にロードして使用することもできる。【００６２】
情報処理装置上で動作するプログラムは、図１で示した制御部１０３、音声変換部１０５、補完部１０６、音声再生部１０９の機能を実現するように構成され、随時、情報処理装置のメモリ１１０２に記憶されている楽曲データ、メタデータ、制御情報、補完設定のデータを用いて処理を行う。楽曲データ、メタデータ、制御情報、補完設定などは外部記憶装置１１０５や、媒体駆動装置１１０６により読み出される可搬型記録媒体１１０９に記憶されたものを用いてもよく、更にはネットワークを介して他のデータ提供サーバ上のデータをダウンロードしてきて利用するように構成してもよい。【００６３】
本発明の音声再生装置が情報処理装置上のプログラムを実行することによって実現される場合に、当該プログラムを情報処理装置へローディングする方法について図１２に示しておく。【００６４】
図１２の（ａ）は、情報処理装置１２０１のハードディスクなどの外部記憶装置に格納されたプログラムやデータ１２０２を情報処理装置１２０１がローディングする方法を示したものである。【００６５】
図１２の（ｂ）は、ＣＤ−ＲＯＭやＤＶＤなどの可搬型の記憶媒体に記録されたプログラムやデータ１２０４が、情報処理装置１２０１の媒体駆動装置を介してローディングする方法を示したものである。【００６６】
図１２の（ｃ）は、ネットワークなどの回線を介して、情報提供者が提供するプログラムやデータ１２０３を、情報処理装置１２０１の通信装置を介してローディングする方法を示したものである。【００６７】
以上のように本発明は、上述の本発明の原理構成や実施例に示した各構成によって実現される機能と同様の機能をコンピュータなどの情報処理装置に行わせるためのプログラムとして構成してもよい。また、本発明は、コンピュータなどの情報処理装置により使用されたときに、上述の本発明の原理構成や実施例に示した各構成によって実現される機能と同様の機能をコンピュータなどの情報処理装置に行わせるためのプログラムを記録したコンピュータ読み出し可能記録媒体として構成することもできる。また、本発明は、搬送波に具現化された、上述のプログラムを表現するコンピュータ・データ・シグナルとして構成することもできる。【００６８】
以上、図１〜図１２を参照し、本発明の実施の形態である音声再生装置について詳細に説明したが、本発明は次のように応用して用いることも可能である。
例えば本発明を、コンテンツを作成するＡＶコンテンツ編集・作成装置に応用するとすれば、例えば、結婚式の様子を写した多数の写真とお気に入りの音楽をＢＧＭにしてスライドショーの映像を作成する場合に、ＢＧＭの説明を自動的に挿入することに利用することが可能である。編集の際、従来のようにただ単に曲がつくだけではなく、スライドショーのはじめに“（曲名）にのせてお送りします。”とアナウンスを追加しスライドショーの映像やＢＧＭがコンテンツとして生成される。これにより、単なるスライドショーから、より映像作品に近づけることが可能になる。また、店舗や該当で広告映像等を流す業務用装置においてＢＧＭを流しながらテキストや静止画ベースの広告を次々に流すものがあるが、当該装置において広告映像が始まる前に、ＤＪ風にＢＧＭを紹介するようなアナウンスを追加することにより、消費者にその広告がより身近に感じさせるような効果をもたらすことも可能である。このように本発明は、単なる音声再生装置に留まらず、様々な家電、形態装置、業務用装置等に応用することが可能である。【００６９】
以上本発明の音声再生装置について詳細に説明したが、本発明によれば再生対象の楽曲データに対応するメタデータを、楽曲の再生前または再生後または再生中や選択時などのいずれかのタイミングで当該メタデータを音声で利用者に通知することが可能で、利用者は表示装置等をみなくても楽曲情報を取得することが可能である。また、本発明の音声再生装置は複数の名詞の集合で構成されるメタデータをただ単に通知するのではなく、メタデータを構成する属性値（名詞）間に助詞、助動詞等を挿入し文章としてより話言葉に近い状態で通知することが可能で、利用者がより親しみやすくすることが可能である。さらに、再生対象の楽曲が複数あり、それら複数楽曲に共通するメタデータの属性値（名詞）がある場合は、その共通する名詞を音声で通知し、楽曲群の情報を伝達したり、各情報を利用者に通知する場合に一度通知した内容を省略したり、通知する言語を変更したり、時間帯や利用者の地域設定で通知する言い回しや口調を変えることが可能で、人間が通常話すような感じで情報提供を行うため、より親しみやすい情報提供が可能であるといえる。さらに、利用者は、音楽再生の制御に関する情報も音声通知により容易に取得することが可能である、という特徴もある。
【図１】
2008102413.tif 000003
【図２】
2008102413.tif 000004
【図３】
2008102413.tif 000005
【図４】
2008102413.tif 000006
【図５】
2008102413.tif 000007
【図６】
2008102413.tif 000008
【図７】
2008102413.tif 000009
【図８】
2008102413.tif 000010
【図９】
2008102413.tif 000011
【図１０】
2008102413.tif 000012
【図１１】
2008102413.tif 000013
【図１２】
2008102413.tif 000014
【手続補正書】
【提出日】平成21年7月9日(2009.7.9)
【手続補正１】
【補正対象書類名】特許請求の範囲
【補正対象項目名】全文
【補正方法】変更
【補正の内容】
【特許請求の範囲】
【請求項１】
音楽を再生する音楽再生装置であって、
複数の楽曲データを格納する音楽データ格納手段と、
前記各楽曲データに対応するメタデータを格納するメタデータ格納手段と、
前記メタデータ等を音声データに変換する音声データ変換手段と、
前記楽曲データおよび前記音声データを再生する再生手段と、
再生する楽曲データに対応するメタデータを前記メタデータ格納手段から読み出し、前記音声データ変換手段に入力し、該音声データ変換手段から出力された音声データを、該楽曲データの再生前または再生中または再生後のいずれかのタイミングで前記再生手段に入力して音声再生させる制御を行う制御手段と、
を備えることを特徴とする音楽再生装置。
【請求項２】
更に、
メタデータを構成する複数の属性値間に助詞等を挿入し、文章データを生成するための型を複数規定したものを格納しておく補完設定格納手段と、
前記制御手段によって、前記メタデータ格納手段から読み出されたメタデータを、前記補完設定格納手段に格納された型に基づいて文章データを生成する補完手段と、
を備え、
前記制御手段は前記補完手段によって生成された文章データを前記音声データ変換手段に出力し、該文章データを再生することを特徴とする請求項１記載の音楽再生装置。
【請求項３】
前記補完設定手段は前記文章データを生成するための型以外に、いずれの言語にするのか、男性・女性いずれの口調にするのか、いずれの地域の方言にするのか、どのような口調にするのかなどの設定も含むことを特徴とする請求項２記載の音楽再生装置。
【請求項４】
前記補完手段は、前記楽曲データの再生の状況に合わせて、前記文章を生成するための型のうちのいずれを適用するかを決定し、直近に再生したメタデータのうち同一の属性値が含まれる場合には、当該属性値の部分を省略し、同等の内容は前記生成する文章には含まれないようにすることを特徴とする請求項３記載の音楽再生装置。
【請求項５】
更に、
前記楽曲データの再生状況を示す制御情報を格納する制御情報格納手段を備え、
前記制御手段は自身の制御に基づいて該制御情報を更新し、また、前記制御情報格納手段から制御情報を読み出し前記音声データ変換手段に入力し、該音声データ変換手段から出力された音声データを前記再生手段に入力して該制御情報を再生させる、
ことを特徴とする請求項１記載の音楽再生装置。（図１、図２、図３、図４）
【請求項６】
複数の楽曲データを格納する音楽データ記憶部と、該各楽曲データに対応するメタデータを格納するメタデータ記憶部とを備える音楽再生装置において音楽を再生するための方法であって、
利用者により指定された楽曲データを再生する際に、該楽曲データに対応するメタデータを前記メタデータ記憶部から読み出し、音声データに変換して、該音声データを前記楽曲データの再生前、再生中、再生後のいずれかのタイミングで再生することを特徴とする音楽再生方法。
【請求項７】
音楽再生装置を、複数の楽曲データと各楽曲データに対応するメタデータが記憶された記憶部および処理部を備える情報処理装置で実現するためのプログラムであって、
利用者により指定された楽曲データを再生する際に、該楽曲データに対応するメタデータを前記記憶部から読み出すステップと、
前記読み出されたメタデータを音声データに変換するステップと、
前記音声データを前記楽曲データの再生前、再生中、再生後のいずれかのタイミングで再生するステップと、
を前記情報処理装置の処理部に実行させることを特徴とするプログラム。
【請求項８】
前記文章データを生成するステップにおいて、前記楽曲データの再生の状況に合わせて、前記文章データを生成するための型のうちいずれを適用するかを決定し、直近に再生したメタデータのうち同一の属性値が含まれる場合には、当該属性値の部分を省略し、同等の内容は前記生成する文章データには含まれないようにすることを特徴とする請求項１７記載のプログラム。
【請求項９】
音楽再生装置を、複数の楽曲データと各楽曲データに対応するメタデータが記憶された記憶部および処理部を備える情報処理装置で実現するためのプログラムを記録した記録媒体であって、
利用者により指定された楽曲データを再生する際に、該楽曲データに対応するメタデータを前記記憶部から読み出すステップと、
前記読み出されたメタデータを音声データに変換するステップと、
前記音声データを前記楽曲データの再生前、再生中、再生後のいずれかのタイミングで再生するステップと、
を前記情報処理装置の処理部に実行させることを特徴とするプログラムを記録した記録媒体。
【手続補正書】
【提出日】平成21年7月22日(2009.7.22)
【手続補正１】
【補正対象書類名】明細書
【補正対象項目名】０００７
【補正方法】変更
【補正の内容】
【０００７】
また特許文献２では、記録媒体に記録された楽曲についての情報を音声情報で得られるようにした技術を開示しているが、記録媒体に各楽曲についての情報を音声信号で入力しなければならず、膨大な楽曲ある場合には該楽曲についての情報を入力する作業が膨大となってしまう。
【特許文献１】特開２０００−２９８９７８号公報
【特許文献２】特開２００４−７９０９１号公報
【国際調査報告】
2008102413.tif 000015
2008102413.tif 000016
2008102413.tif 000017
2008102413.tif 000018